【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
コンテンツ・プレゼンテーションおよびインタラクション・システム用のコントローラー・システムであって、前記コンテンツ・プレゼンテーションおよびインタラクション・システムが、１次コンテンツ・プレゼンテーション・デバイスと、該コンテンツ・プレゼンテーション・デバイスに対し複数のコンテンツ・タイプを提示する処理システムとを含み、前記コントローラー・システムが、
ユーザーの少なくとも一方の手の入力を受けるように構成され、前記処理システムに通信可能に結合された第１ハウジング内の触覚コントローラーであって、前記処理システムにおけるコンテンツを操作する第１組の制御入力を供給する複数の触覚入力メカニズムを含む、触覚コントローラーと、
第２ハウジング内にプロセッサーとタッチ・ディスプレイ・インターフェースを含み、前記処理システムと前記触覚コントローラーに通信可能に結合されたタッチ・スクリーン・コントローラーであって、前記ディスプレイ・インターフェースが前記触覚コントローラーに近接し、前記インターフェースにおいて第２組の制御入力を供給するように構成され、前記第１組と第２組の制御入力が、異なった入力を含み、前記タッチ・スクリーン・コントローラーが、前記触覚コントローラーとの直接通信のために前記触覚コントローラーに対し直接接続を有する、タッチ・スクリーン・コントローラーと、
を含む、コントローラー・システム。
【請求項２】
請求項１記載のコントローラー・システムにおいて、前記コントローラーが前記処理システムと通信し、前記処理システムが娯楽サービスとネットワークを介して通信し、前記サービスが、２次インターフェースの１つ以上のエレメントを提供し、前記２次インターフェースが、アプリケーション・ヘルプ・インターフェースを含む、コントローラー・システム。
【請求項３】
請求項２記載のコントローラー・システムにおいて、前記タッチ・スクリーン・コントローラーが、有線のコネクターを含み、前記タッチ・スクリーン・コントローラーが、電気的接続を可能にする前記有線のコネクターと、前記タッチ・スクリーン・コントローラーと前記触覚コントローラーとの間の前記直接通信とによって前記触覚コントローラーに接続される、コントローラー・システム。
【請求項４】
請求項１記載のコントローラー・システムにおいて、前記タッチ・スクリーン・コントローラーは、前記コンテンツ・プレゼンテーションおよびインタラクション・システムとは独立の機能を提供するように構成され、前記コンテンツ・プレゼンテーションおよびインタラクション・システムは、前記コントローラーが前記システムに動作上結合されたときに前記機能を決定するように構成された、コントローラー・システム。
【請求項５】
請求項４記載のコントローラー・システムにおいて、前記タッチ・スクリーン・コントローラーの前記プロセッサーは、少なくとも前記システムに結合されていないときには音声とデータの通信を提供するように構成された、コントローラー・システム。
【請求項６】
コンテンツ・プレゼンテーションおよびインタラクション・システム用のコントロール・システムであって、
第１のハウジング内に配置され、第１のユーザーの入力に応答し、コンテンツ処理システムに通信可能に結合された第１のコントローラーであって、前記コンテンツ処理システムが、前記第１のユーザーのための格納されたユーザー情報と格納されたコンテンツとを含むリモート・サービスに対しネットワークを介して通信可能に結合され、前記第１のコントローラーが、複数の触覚入力装置を含み前記処理システムが提供するコンテンツを操作する第１組の制御入力を供給する、第１のコントローラーと、
タッチ・インターフェース・コントローラーを含み第２のハウジング内に配置された第２の処理デバイスであって、該第２の処理デバイスが、前記コンテンツ処理システムに動作上結合され、前記第２の処理デバイスが、前記リモート・サービスに対し直接のネットワーク接続を有し、前記第２の処理デバイスが、前記処理システムと前記リモート・サービスとから２次ユーザー・インターフェースを受け、前記２次ユーザー・インターフェースにおけるコンテンツが、前記コンテンツ処理システムと前記リモート・サービスとのうちの少なくとも一方から提示される、第２の処理デバイスと、
を含む、コントロール・システム。
【請求項７】
請求項６記載のコントロール・システムにおいて、前記処理デバイスは、ネットワークを介してコンテンツ・サービスと通信し、前記サービスは、２次インターフェースの１つ以上のエレメントを提供する、コントロール・システム。
【請求項８】
コンテンツ・プレゼンテーションおよびインタラクション・システムであって、
コンテンツ・プレゼンテーション・アプリケーションを実行する第１の処理デバイスであって、前記コンテンツ・プレゼンテーション・アプリケーションが複数の制御入力に応答する、第１の処理デバイスと、
第１のユーザーの入力を受けるように構成され、前記第１の処理デバイスと通信可能に結合された、第１ハウジング内に配置された触覚コントローラーであって、該触覚コントローラーが、複数の触覚入力メカニズムを含み、前記コンテンツ・プレゼンテーション・アプリケーションからの前記コンテンツを操作する第１組の前記複数の制御入力を供給し、前記複数の触覚入力メカニズムの機能が、前記コンテンツ・プレゼンテーション・アプリケーションによって少なくとも部分的に割り当てられる、触覚コントローラーと、
前記第１のユーザーの入力を受けるように構成されかつ前記第１の処理デバイスと通信可能に結合された、第２ハウジング内に配置されたプロセッサーを含むタッチ・スクリーン・コントローラーであって、該タッチ・スクリーン・コントローラーが更に、前記コンテンツ・プレゼンテーション・アプリケーションによって少なくとも部分的に割り当てられる前記複数の触覚入力メカニズムの前記機能を表示するヘルプ・ユーザー・インターフェースを含む、タッチ・スクリーン・コントローラーと、
を含む、コンテンツ・プレゼンテーションおよびインタラクション・システム。
【請求項９】
請求項８記載のコンテンツ・プレゼンテーションおよびインタラクション・システムにおいて、前記第１の処理デバイスは、娯楽サービスにネットワークを介して通信し、前記サービスが、前記第１の処理デバイスが提供するコンテンツに基づいて、２次入力インターフェースの１つ以上のエレメントを前記タッチ・スクリーン・コントローラーにおいて提供する、コンテンツ・プレゼンテーションおよびインタラクション・システム。
【請求項１０】
コンテンツ・プレゼンテーションおよびインタラクション・システム用のコントローラー・システムであって、前記コンテンツ・プレゼンテーションおよびインタラクション・システムが、１次コンテンツ・プレゼンテーション・デバイスと、該コンテンツ・プレゼンテーション・デバイスに対し複数のコンテンツ・タイプを提示する処理システムとを含み、前記コントローラー・システムが、
ユーザーの少なくとも一方の手の入力を受けるように構成され、前記処理システムに通信可能に結合された、第１ハウジング内の触覚コントローラーであって、前記処理システムにおけるコンテンツを操作する第１組の制御入力を供給する複数の触覚入力メカニズムを含む、触覚コントローラーと、
第２ハウジング内のタッチ・スクリーン・コントローラーであって、該タッチ・スクリーン・コントローラーが、プロセッサーと触覚入力メカニズムを含み、該触覚入力メカニズムが、前記処理システムにおけるコンテンツを操作する第２組の１つ以上の制御入力を供給するタッチ・ディスプレイ・インターフェースを含み、前記タッチ・スクリーン・コントローラーが、前記処理システムと前記触覚コントローラーに動作上結合され、前記処理システムが、前記触覚コントローラーからの前記第１組の入力を前記タッチ・スクリーン・コントローラーからの前記第２組の１つ以上の制御入力と同期させて、前記触覚コントローラーと前記タッチ・スクリーン・コントローラーからの調整された制御入力を可能にする、タッチ・スクリーン・コントローラーと、
を含む、コントローラー・システム。